(57)【要約】  【課題】本発明は、伸縮可能な帯を胸側と背中側との両方で交差させて、胸の中心または背中の中心を十分に押圧できるようにした。  【解決手段】２つの交差布２の四辺には、左肩掛帯３、右肩掛帯４、左脇掛帯５、右脇掛帯６のそれぞれの両端が繋がっている。この左肩掛帯３は、人間の左肩に掛けられ、また右肩掛帯４は、上記人間の右肩に掛けられ、長手方向に弾性的に伸縮可能で、可撓性を有している。上記左脇掛帯５は、上記人間の左脇に掛けられ、上記右脇掛帯６は、上記人間の右脇に掛けられ、長手方向に弾性的に伸縮可能で、可撓性を有している。２つの交差布２を、左肩掛帯３、右肩掛帯４、左脇掛帯５、右脇掛帯６で弾性的に付勢して、胸の中心または背中の中心を十分に押圧することができる。  【選択図】図１
2006334255.tif 000002
【特許請求の範囲】
【請求項１】
人間の胸側及び背中側に位置する可撓性を有する平板状の少なくとも２つの交差体と、
この２つの交差体に両端が連結され、上記人間の左肩に掛けられる長手方向に弾性的に伸縮可能な可撓性を有する左肩掛体と、
上記２つの交差体に両端が連結され、上記人間の右肩に掛けられる長手方向に弾性的に伸縮可能な可撓性を有する右肩掛体と、
上記２つの交差体に両端が連結され、上記人間の左脇に掛けられる長手方向に弾性的に伸縮可能な可撓性を有する左脇掛体と、
上記２つの交差体に両端が連結され、上記人間の右脇に掛けられる長手方向に弾性的に伸縮可能な可撓性を有する右脇掛体とを備えたことを特徴とする身着具。
【請求項２】
上記交差体、左肩掛体、右肩掛体、左脇掛体または右脇掛体に連結され、これら交差体、左肩掛体、右肩掛体、左脇掛体または右脇掛体に被われていない、上記人間の一部を被う被覆体をさらに備えたことを特徴とする請求項１記載の身着具。
【請求項３】
上記人間の腹を周回する腹体をさらに備え、この腹体には、上記左脇掛体または右脇掛体が連結されることを特徴とする請求項１または２記載の身着具。
【請求項４】
上記交差体、左肩掛体、右肩掛体、左脇掛体、右脇掛体および被覆体のうち少なくとも２つは、一枚の布状に連結され、シャツ状になっていることを特徴とする請求項１、２または３記載の身着具。
【請求項５】
上記交差体、左肩掛体、右肩掛体、左脇掛体、右脇掛体および被覆体のうちすくなくとも２つは、一体で編み込まれ、それぞれの編み方が異なっていることを特徴とする請求項１、２、３または４記載の身着具。
【請求項６】
上記身着体の一部は分離され、この分離部分にはそれぞれ連結手段が設けられ、この連結手段を介して互いに連結及び分離可能であることを特徴とする請求項１、２、３、４または５記載の身着具。
【発明の詳細な説明】
【技術分野】
【０００１】
本発明は、身着具に関し、特に胸または背中などを押圧する身着具に関する。
【背景技術】
【０００２】
従来、このような身着具としては、例えば姿勢矯正具などがある。このような姿勢矯正具は、上半身に装着して、上半身の姿勢を直すというものである。この矯正具はゆがんだ姿勢や背骨を、矯正する方向に弾性的に付勢するものである。
【０００３】
また、このような矯正具に類似するものとして、骨折時に骨折した骨を矯正した状態で固定するギブスや、運動時に肘や膝頭などの関節の部分をきつく締めて保護するサポーターなどもある。
【０００４】
しかしながら、このような矯正具、ギブス、サポーターでは、胸や背中の中心など、例えば胸骨、肋骨や背骨を十分に押圧して固定するものはなかった。胸骨、肋骨や背骨の骨折やひびでは、胸の中心や背骨の中心を十分に押圧する必要がある。
【０００５】
【特許文献１】特開昭５０−４８７８０号公報
【特許文献２】特開昭５３−５９２８４号公報
【特許文献３】特公昭５５−４７９０２号公報
【発明の開示】
【発明が解決しようとする課題】
【０００６】
本発明は、上述した課題を解決するためになされたものであり、本発明の目的は、胸や背中の中心など、例えば胸骨、肋骨や背骨を十分に押圧して固定できる身着具を提供することである。
【課題を解決するための手段】
【０００７】
上記目的を達成するため、本発明の身着具は、人間の胸側及び背中側に位置する可撓性を有する平板状の少なくとも２つの交差体と、この２つの交差体に両端が連結され、上記人間の左肩に掛けられる長手方向に弾性的に伸縮可能な可撓性を有する左肩掛体と、上記２つの交差体に両端が連結され、上記人間の右肩に掛けられる長手方向に弾性的に伸縮可能な可撓性を有する右肩掛体と、上記２つの交差体に両端が連結され、上記人間の左脇に掛けられる長手方向に弾性的に伸縮可能な可撓性を有する左脇掛体と、上記２つの交差体に両端が連結され、上記人間の右脇に掛けられる長手方向に弾性的に伸縮可能な可撓性を有する右脇掛体とを備えた。
【発明の効果】
【０００８】
これにより、２つの交差体を、左肩掛体、右肩掛体、左脇掛体、右脇掛体で弾性的に付勢して、胸の中心または背中の中心に十分に押圧させることができる。しかも、左右肩掛体及び左右脇掛体は、長手方向に弾性的に収縮可能であるため、押圧があっても、胸、背中、肩、脇、腕、首などの上半身を自由に動かすことができる。
【０００９】
また、左右の脇掛体が肋骨の下縁に沿って位置することができ、肋骨の下縁に左右の脇掛体が係止されて、左右の脇掛体が上方にずれることがない。なお、本件発明の身着具は、骨折や骨のひびの治療のほか、姿勢や背骨のゆがみの矯正や、上半身のサポーターとして使用することもできる。
【発明を実施するための最良の形態】
【００１０】
（１）身着具１の構造
図１は身着具１を人間の上半身に装着して斜め前から見た状態を示し、図２は身着具１を人間の上半身に装着して斜め後から見た状態を示す。ほぼ正方形の平板上の可撓性を有する布製の交差布２(交差体)は、ほとんど弾性的に収縮せず、人間の胸のほぼ中央及び背中のほぼ中央に位置している。むろん縦方向、横方向または斜め方向に弾性的に収縮可能でもよい。
【００１１】
このほぼ正方形の２つの交差布２の四辺には、いずれも布製の帯状に長い左肩掛帯３、右肩掛帯４、左脇掛帯５、右脇掛帯６のそれぞれの両端が連結されて繋がっている。この左肩掛帯３は、上記人間の左肩に掛けられ、長手方向に弾性的に伸縮可能で、可撓性を有している。上記右肩掛帯４は、上記人間の右肩に掛けられ、長手方向に弾性的に伸縮可能で、可撓性を有している。
【００１２】
上記左脇掛帯５は、上記人間の左脇に掛けられ、長手方向に弾性的に伸縮可能で、可撓性を有している。上記右脇掛帯６は、上記人間の右脇に掛けられ、長手方向に弾性的に伸縮可能で、可撓性を有している。
【００１３】
２つの交差布２を、左肩掛帯３、右肩掛帯４、左脇掛帯５、右脇掛帯６で弾性的に付勢して、胸の中心または背中の中心を十分に押圧することができる。この場合の左脇と右脇とは、わき腹付近を指し、左右の腰から左右の脇の下までを指す。
【００１４】
上記人間の腹を周回する部分には腹帯７(腹体)が設けられ、この腹帯７の脇腹部分の上縁は、上記左脇掛帯５及び右脇掛帯６の最下縁に連結され繋がっている。この腹帯７は、布製で帯状に長く、長手方向に弾性的に伸縮可能で、可撓性を有している。この腹帯７によって、左脇掛帯５または右脇掛帯６が上方にずれるのが防止される。
【００１５】
上記左脇掛帯５、右脇掛帯６及び腹帯７で囲まれた腹側の三角形状の部分には、三角形状の腹布８（被覆体）がこれらに連結され繋がっていて、腹が被覆される。また、同じく左脇掛帯５及び右脇掛帯６及び腹帯７で囲まれた背中下側の三角形状の部分には、三角形状の下背布９（被覆体）がこれらに連結され繋がっていて、背中下方が被覆される。上記左肩掛帯３及び右肩掛帯４に挟まれた背中上側の三角形状の部分には、三角形状の上背布１０（被覆体）がこれらに連結され繋がっていて、背中上方が被覆される。
【００１６】
上記左肩掛帯３及び左脇掛帯５に挟まれた左胸側の三角形状の部分には、三角形状の左胸布１１（被覆体）がこれらに連結され繋がっていて、左胸が被覆される。上記左肩掛帯３及び左脇掛帯５に挟まれた左背中側の三角形状の部分には、三角形状の左背中布１２（被覆体）がこれらに連結され繋がっていて、背中左側が被覆される。
【００１７】
上記右肩掛帯４及び右脇掛帯６に挟まれた右胸側の三角形状の部分には、三角形状の右胸布１３（被覆体）がこれらに連結され繋がっていて、右胸が被覆される。上記右肩掛帯４及び右脇掛帯６に挟まれた右背中側の三角形状の部分には、三角形状の右背中布１４（被覆体）がこれらに連結され繋がっていて、背中右側が被覆される。
【００１８】
上記左胸布１１及び左背中布１２には、筒状の左スリーブ布１６（被覆体）が連結され繋がっていて、左肩が被覆される。上記右胸布１３及び右背中布１４には、筒状の左スリーブ布１５（被覆体）が連結され繋がっていて、右肩が被覆される。上記左肩掛帯３、右肩掛帯４及び上背布１０の上縁にそってネック部１８が連結され繋がっている。
【００１９】
このような腹布８、下背布９、上背布１０、左胸布１１、左背中布１２、右胸布１３、右背中布１４、右スリーブ布１５、左スリーブ布１６及びネック部１８によって、上記交差布２、左肩掛帯３、右肩掛帯４、左脇掛帯５、右脇掛帯６及び腹帯７に被われていない、上記人間の一部を被うことができ、人間の上半身を保温できる。
【００２０】
上記交差布２、腹布８、下背布９、上背布１０、左胸布１１、左背中布１２、右胸布１３、右背中布１４、右スリーブ布１５、左スリーブ布１６及びネック部１８は、左肩掛帯３、右肩掛帯４、左脇掛帯５、右脇掛帯６及び腹帯７より弱い伸縮性を有しているが、これらと同じ伸縮性があってもよいし、伸縮性がまったく無くてもよい。
【００２１】
これら交差布２、左肩掛帯３、右肩掛帯４、左脇掛帯５、右脇掛帯６、腹帯７、腹布８、下背布９、上背布１０、左胸布１１、左背中布１２、右胸布１３、右背中布１４、右スリーブ布１５、左スリーブ布１６及びネック部１８は、互いの連結縁／辺において、縫合などされて、一体化され、一枚の布状に連結されて、シャツ状になっている。これにより、身着具１を被服として着ることもできる。
【００２２】
また、これら交差布２、左肩掛帯３、右肩掛帯４、左脇掛帯５、右脇掛帯６、腹帯７、腹布８、下背布９、上背布１０、左胸布１１、左背中布１２、右胸布１３、右背中布１４、右スリーブ布１５、左スリーブ布１６及びネック部１８のうちすくなくとも２つは、一体で編み込まれ、それぞれの編み方が異なっていてもよい。これにより、身着具の厚さを薄くできるし、製造が容易になる。
【００２３】
このような一体編み込みでは、左肩掛帯３、右肩掛帯４、左脇掛帯５、右脇掛帯６及び腹帯７が長手方向に弾性的に収縮可能なように編み込まれる。このような長手方向に弾性的に収縮可能な編み込みは、例えば運動用等のサポーターとして広く使用されている一方向によく収縮する編み物素材や、伸縮バンドとして広く使用されている一方向によく収縮する編み物素材等と同様の編み込みが行われる。
【００２４】
左肩掛帯３、右肩掛帯４、左脇掛帯５、右脇掛帯６及び腹帯７の各収縮方向はそれぞれ９０度または４５度ほど異なっているので、上述のようにそれぞれの編み方が異なることになる。このような場合の一体編み込みが難しい場合には、上記それぞれの収縮方向に沿った編み込みを行い、この後これらを互いに縫合することになる。
【００２５】
また、本件身着具を交差布２、２で、右半分と左半分とに分けて一体編み込みし、これらを縫合するとともに交差布２、２と縫合してもよい。この場合、左肩掛帯３と左脇掛帯５と、右肩掛帯４と右脇掛帯６とを一体編み込みし、この後これらを中央で切断して、この切断部分に交差布２、２を縫合することになる。
【００２６】
さらに、本件身着具を交差布２、２で、上半分と下半分に分けて一体編み込みし、これらを縫合するとともに交差布２、２と縫合してもよい。この場合、左肩掛帯３と右肩掛帯４と、左脇掛帯５と右脇掛帯６とを一体編み込みし、この後これらを中央で切断して、この切断部分に交差布２、２を縫合することになる。
【００２７】
交差布２、腹布８、下背布９、上背布１０、左胸布１１、左背中布１２、右胸布１３、右背中布１４、右スリーブ布１５、左スリーブ布１６及びネック部１８は、左肩掛帯３、右肩掛帯４、左脇掛帯５、右脇掛帯６、腹帯７とは異なり、弾性的に少々収縮する。しかし、弾性的に収縮不能または弾性的に完全に可能な素材としてもよい。
【００２８】
上記左肩掛帯３、右肩掛帯４、左脇掛帯５、右脇掛帯６または／及び腹帯７は、長手方向に弾性的に収縮可能であるため、胸骨、肋骨または背骨を押圧できるとともに、胸、背中、肩、脇、腕、首などの上半身を自由に動かすこともでき、ギブスのような窮屈さはなく、上半身の動きの自由度が高まる。
【００２９】
また、左脇掛帯５または／及び右脇掛帯６が肋骨の下縁に沿って位置することができるので、肋骨の下縁に左脇掛帯５または／及び右脇掛帯６が係止されて、左脇掛帯５または／及び右脇掛帯６が上方にずれることがなく、腹帯７を省略することも可能である。むろん、腹帯７があれば、その分、左脇掛帯５または／及び右脇掛帯６が上方にずれることがより防止される。
【００３０】
（２）連結／分離機構
上記左脇掛帯５、右脇掛帯６、腹帯７の左右両側、左胸布１１と左背中布１２との境界、右胸布１３と右背中布１４との境界、右スリーブ布１５及び左スリーブ布１６の脇の下の長手方向に沿った箇所は、分離されており、この分離される両側縁には、連結面ファスナー１７がそれぞれ取り付けられ、係合連結及び取り外し分離が可能となっている。
【００３１】
これにより、連結面ファスナー１７の係合を取り外して身着具１の下側を胸腹側と背中との前後に分離し、人間の首を左肩掛帯３及び右肩掛帯４の間を通し、身着具１の胸腹側と背中側とを、連結面ファスナー１７で係合連結できる。したがって、胸骨、肋骨または背骨などを骨折していて腕や肩などを十分に動かせないときでも身着具１を分離して拡げて着ることができる。
【００３２】
（３）他の実施の形態
本発明は、上記実施例に限定されず、種々変更可能である。例えば、上記連結面ファスナー１７(連結手段)は、チャック、ファスナー、ボタン、ホック、フック、紐など連結できる他の手段で代用できる。この連結面ファスナー１７(連結手段)は、左右いずれか一方のみを省略してもよい。
【００３３】
また、このような連結手段は、図１及び図２の鎖線Ａに示すように、右スリーブ布１５及び左スリーブ布１６の肩上縁の左右一方または両方に設けられてもよい。さらに、このような連結手段は、図１及び図２の鎖線Ｂに示すように、胸の中央上下に形成されてもよいし、背中の中央上下に形成されてもよい。また、このような連結手段は、これ以外の任意の位置に形成されてもよい。
【００３４】
さらにまた、上記左肩掛帯３と右脇掛帯６、または／及び右肩掛帯４と左脇掛帯５は、一体に繋がったものでもよい。この場合、左肩掛帯３及び右脇掛帯６と右肩掛帯４及び左脇掛帯交差布２との交差部分は縫合され、この縫合部分が上記交差布２となる。いずれにせよ、左肩掛帯３、右脇掛帯６、右肩掛帯４及び左脇掛帯５は交差布２において繋がっていればよい。
【００３５】
またさらに、上記腹帯７は省略可能である。さらに、右スリーブ布１５または左スリーブ布１６の先端周縁部にも、腹帯７と同様の長手方向に弾性的に伸縮可能な帯が取り付けられてもよい。これにより、右スリーブ布１５または左スリーブ布１６が容易に移動できないようにできる。
【００３６】
さらにまた、交差布２、左肩掛帯３、右肩掛帯４、左脇掛帯５、右脇掛帯６、腹帯７は、テーシャツなどのシャツの表面または内面に対して縫合され、腹布８、下背布９、上背布１０、左胸布１１、左背中布１２、右胸布１３、右背中布１４、右スリーブ布１５、左スリーブ布１６またはネック部１８に対して一体化されていなくてもよい。
【００３７】
またさらに、腹布８、下背布９、上背布１０、左胸布１１、左背中布１２、右胸布１３、右背中布１４、右スリーブ布１５、左スリーブ布１６及びネック部１８の一部または全部は省略可能である。連結面ファスナー（連結手段）１７も省略可能である。
【００３８】
さらにまた、交差布２、左肩掛帯３、右肩掛帯４、左脇掛帯５、右脇掛帯６、腹帯７、腹布８、下背布９、上背布１０、左胸布１１、左背中布１２、右胸布１３、右背中布１４、右スリーブ布１５、左スリーブ布１６またはネック部１８の素材は布のほか、軟質樹脂、硬質樹脂、金属板などからなっていてもよい。
【００３９】
左肩掛帯３、右肩掛帯４、左脇掛帯５及び右脇掛帯６の各長さは同じであった。しかし、これを一部異なるようにしてもよい。これにより、胸の中心からややずれた位置または背中の中心からややずれた位置に交差布２を位置させて、これらの位置を押圧できる。
【００４０】
（４）他の発明の効果
［１］人間の胸側及び背中側に位置する可撓性を有する平板状の少なくとも２つの交差体と、  この２つの交差体に両端が連結され、上記人間の左肩に掛けられる長手方向に弾性的に伸縮可能な可撓性を有する左肩掛体と、  上記２つの交差体に両端が連結され、上記人間の右肩に掛けられる長手方向に弾性的に伸縮可能な可撓性を有する右肩掛体と、  上記２つの交差体に両端が連結され、上記人間の左脇に掛けられる長手方向に弾性的に伸縮可能な可撓性を有する左脇掛体と、  上記２つの交差体に両端が連結され、上記人間の右脇に掛けられる長手方向に弾性的に伸縮可能な可撓性を有する右脇掛体とを備えたことを特徴とする身着具。
【００４１】
これにより、２つの交差体を、左肩掛体、右肩掛体、左脇掛体、右脇掛体で弾性的に付勢して、胸の中心または背中の中心に十分に押圧させることができる。しかも、左右肩掛体及び左右脇掛体は、長手方向に弾性的に収縮可能であるため、押圧があっても、胸、背中、肩、脇、腕、首などの上半身を自由に動かすことができる。さらに、左右の脇掛体が肋骨の下縁に沿って位置することができ、肋骨の下縁に左右の脇掛体が係止されて、左右の脇掛体が上方にずれることがない。
【００４２】
［２］上記交差体、左肩掛体、右肩掛体、左脇掛体または右脇掛体に連結され、これら交差体、左肩掛体、右肩掛体、左脇掛体または右脇掛体に被われていない、上記人間の一部を被う被覆体をさらに備えたことを特徴とする請求項１記載の身着具。これにより、人間の上半身を保温できる。
【００４３】
［３］上記人間の腹を周回する腹体をさらに備え、この腹体には、上記左脇掛体または右脇掛体が連結されることを特徴とする請求項１または２記載の身着具。これにより、左脇掛体または右脇掛体が上方にずれるのが防止される。
【００４４】
［４］上記交差体、左肩掛体、右肩掛体、左脇掛体、右脇掛体および被覆体のうち少なくとも２つは、一枚の布状に連結され、シャツ状になっていることを特徴とする請求項１、２または３記載の身着具。これにより、身着具を被服として着ることもできる。
【００４５】
［５］上記交差体、左肩掛体、右肩掛体、左脇掛体、右脇掛体および被覆体のうちすくなくとも２つは、一体で編み込まれ、それぞれの編み方が異なっていることを特徴とする請求項１、２、３または４記載の身着具。これにより、身着具の厚さを薄くできるし、製造が容易になる。
【００４６】
［６］上記身着体の一部は分離され、この分離部分にはそれぞれ連結手段が設けられ、この連結手段を介して互いに連結及び分離可能であることを特徴とする請求項１、２、３、４または５記載の身着具。これにより、胸骨、肋骨または背骨などを骨折していて腕や肩などを十分に動かせないときでも身着具を分離して着ることができる。
【産業上の利用可能性】
【００４７】
本発明は、伸縮可能な帯を胸側と背中側との両方で交差させて、胸の中心または背中の中心を十分に押圧できるようにした。２つの交差布２の四辺には、左肩掛帯３、右肩掛帯４、左脇掛帯５、右脇掛帯６のそれぞれの両端が繋がっている。
【００４８】
この左肩掛帯３は、人間の左肩に掛けられ、また右肩掛帯４は、上記人間の右肩に掛けられ、長手方向に弾性的に伸縮可能で、可撓性を有している。上記左脇掛帯５は、上記人間の左脇に掛けられ、上記右脇掛帯６は、上記人間の右脇に掛けられ、長手方向に弾性的に伸縮可能で、可撓性を有している。２つの交差布２を、左肩掛帯３、右肩掛帯４、左脇掛帯５、右脇掛帯６で弾性的に付勢して、胸の中心または背中の中心を十分に押圧することができる。
【図面の簡単な説明】
【００４９】
【図１】身着具１を人間の上半身に装着して斜め前から見た状態を示す。
【図２】身着具１を人間の上半身に装着して斜め後から見た状態を示す。
【符号の説明】
【００５０】
１…身着具、２…交差布(交差体)、
３…左肩掛帯（左肩掛体）、４…右肩掛帯（右肩掛体）、
５…左脇掛帯（左脇掛体）、６…右脇掛帯（右脇掛体）、
７…腹帯（腹体）、８…腹布（被覆体）、
９…下背布（被覆体）、１０…上背布（被覆体）、
１１…左胸布（被覆体）、１２…左背中布（被覆体）、
１３…右胸布（被覆体）、１４…右背中布（被覆体）、
１５…右スリーブ布（被覆体）、１６…左スリーブ布（被覆体）、
１７…連結面ファスナー（連結手段）、１８…ネック部、
Ａ、Ｂ…連結手段（鎖線）。
【図１】
2006334255.tif 000003
【図２】
2006334255.tif 000004